(57)【要約】【課題】ロール紙を用いる画像形成装置において、画像形成出力の実行が可能なようにロール紙を装置内で準備する動作の実行中に電源オフ操作が実行された場合に、実際に装置の電源がオフ状態となるまでの期間を短縮すること。【解決手段】ロール紙を装置内部で搬送して画像形成出力が実行可能な状態に装置を遷移させるロール紙準備動作を制御する機能と、電源供給を遮断するための操作の検知結果に応じて電源遮断動作を制御する機能とを含み、ロール紙準備動作の実行中において所定以上の頻度で電源遮断操作の検知結果を確認し、電源供給を遮断するための操作が行われたことが検知されている場合に、ロール紙準備動作を中断して電源遮断動作を実行することを特徴とする。【選択図】図６
2014121869.tif 000002
【特許請求の範囲】
【請求項１】
ロール紙に対して画像形成出力を行う画像形成装置であって、
装置への電源供給を遮断するための操作が行われたことを検知する電源遮断操作検知部と、
装置への電源供給状態を切り替える電源供給切り替え部と、
装置の動作を制御する装置制御部とを含み、
前記装置制御部は、
前記ロール紙を装置内部で搬送して画像形成出力が実行可能な状態に装置を遷移させるロール紙準備動作を制御するロール紙準備制御機能と、
前記電源供給を遮断するための操作の検知結果に応じて前記電源供給切り替え部を制御する電源供給制御機能とを含み、
前記ロール紙準備動作の実行中において所定以上の頻度で前記電源遮断操作検知部による検知結果を確認し、前記電源供給を遮断するための操作が行われたことが検知されている場合に、前記ロール紙準備動作を中断して前記電源供給切り替え部を制御し、装置への電源供給を遮断することを特徴とする画像形成装置。
【請求項２】
前記装置制御部は、前記ロール紙準備動作を中断して前記ロール紙を装置外に排出する動作を行う可能性のある処理に関連して前記電源遮断操作検知部による検知結果を確認し、前記電源供給を遮断するための操作が行われたことが検知されている場合に、前記ロール紙を装置外に排出してから前記電源供給切り替え部を制御することを特徴とする請求項１に記載の画像形成装置。
【請求項３】
前記装置制御部は、前記用紙のスキュー補正を行う処理において、スキュー補正が不可能であると判断することにより前記ロール紙準備動作を中断する処理に関連して前記電源遮断操作検知部による検知結果を確認することを特徴とする請求項２に記載の画像形成装置。
【請求項４】
ロール紙に対して画像形成出力を行う画像形成装置の制御方法であって、
前記ロール紙を装置内部で搬送して画像形成出力が実行可能な状態に装置を遷移させるロール紙準備動作を操作部に対する操作に応じて開始し、
装置への電源供給を遮断するための操作が行われたことを検知し、
前記ロール紙準備動作の実行中において所定以上の頻度で装置への電源供給を遮断するための操作が行われたことの検知結果を確認し、
前記ロール紙準備動作の実行中において前記電源供給を遮断するための操作が行われたことが検知されている場合に、前記ロール紙準備動作を中断して装置への電源供給を遮断するように制御することを特徴とする制御方法。
【請求項５】
ロール紙に対して画像形成出力を行う画像形成装置の制御プログラムであって、
前記ロール紙を装置内部で搬送して画像形成出力が実行可能な状態に装置を遷移させるロール紙準備動作を操作部に対する操作に応じて開始するステップと、
装置への電源供給を遮断するための操作が行われたことを検知するステップと、
前記ロール紙準備動作の実行中において所定以上の頻度で装置への電源供給を遮断するための操作が行われたことの検知結果を確認するステップと、
前記ロール紙準備動作の実行中において前記電源供給を遮断するための操作が行われたことが検知された場合に、前記ロール紙準備動作を中断して装置への電源供給を遮断するように制御するステップとを情報処理装置に実行させることを特徴とする電源制御プログラム。
【発明の詳細な説明】
【技術分野】
【０００１】
本発明は、画像形成装置、画像形成装置の制御方法及び制御プログラムに関し、特に、ロール紙を装置内で準備する動作中の電源遮断動作に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような画像処理装置のうち、電子化された画像の出力に用いられる画像形成装置においては、画像形成出力を行うための作像機構や、画像を出力する対象の媒体である用紙を搬送する搬送機構等、様々な構成が機械的に動作している。そのため、装置の電源制御に際しては、装置に不具合を生じさせないように様々な処理が設定されている。
【０００４】
例えば、画像形成出力の実行中に装置の電源をオフ状態とするための操作（以降、「電源オフ操作」とする）がユーザによって行われた場合には、実行中の画像形成出力が完了した後に装置の電源をオフ状態とすることにより、消費電力とユーザの利便性との両立を図る方法が提案されている（例えば、特許文献１参照）。
【発明の概要】
【発明が解決しようとする課題】
【０００５】
装置の消費電力の低減やユーザの利便性向上のためには、ユーザによって電源オフ操作が行われた後、実際に装置の電源がオフ状態となるまでの期間（以降、「電源オフ期間」とする）は、可能な限り短いことが好ましい。しかしながら、特許文献１の例に限らず、電源オフ操作が実行された後、実際に装置の電源がオフ状態となるまでの間に所定の処理が実行されることは一般的にあり得る。
【０００６】
例えば、画像形成装置の種類として、円柱状に巻かれた用紙が画像を出力する対象の媒体として繰り出されて給紙されるロール紙タイプの装置がある。このロール紙タイプの画像形成装置においては、装置内において用紙が搬送される搬送経路の入り口に用紙が挿入されると、実際に用紙に対して画像形成出力を行う作像機構が配置されている位置まで用紙を搬送することにより、用紙を装置にセットして画像形成出力が可能な状態に装置を遷移させるロール紙の準備動作が行われる。このロール紙の準備動作は、一般的にロールフォーミング動作と呼ばれている。
【０００７】
このロールフォーミング動作は、ロール紙に対して適切な位置に画像形成出力が実行されるように用紙を正確に装置にセットするための様々な処理を含み、一度処理を開始すると完了するまでに相応の時間を要する。従って、ロールフォーミング動作中に上述した電源オフ操作が行われると、実際に装置が電源オフ状態となるまでには、少なくともロールフォーミング動作が完了するまでの期間を要し、上述した電源オフ期間を可能な限り短くするという要求に反する。
【０００８】
本発明は上記実情に鑑みてなされたものであり、ロール紙を用いる画像形成装置において、画像形成出力の実行が可能なようにロール紙を装置内で準備する動作の実行中に電源オフ操作が実行された場合に、実際に装置の電源がオフ状態となるまでの期間を短縮することを目的とする。
【課題を解決するための手段】
【０００９】
上記課題を解決するために、本発明の一態様は、ロール紙に対して画像形成出力を行う画像形成装置であって、装置への電源供給を遮断するための操作が行われたことを検知する電源遮断操作検知部と、装置への電源供給状態を切り替える電源供給切り替え部と、装置の動作を制御する装置制御部とを含み、前記装置制御部は、前記ロール紙を装置内部で搬送して画像形成出力が実行可能な状態に装置を遷移させるロール紙準備動作を制御するロール紙準備制御機能と、前記電源供給を遮断するための操作の検知結果に応じて前記電源供給切り替え部を制御する電源供給制御機能とを含み、前記ロール紙準備動作の実行中において所定以上の頻度で前記電源遮断操作検知部による検知結果を確認し、前記電源供給を遮断するための操作が行われたことが検知されている場合に、前記ロール紙準備動作を中断して前記電源供給切り替え部を制御し、装置への電源供給を遮断することを特徴とする。
【００１０】
また、本発明の他の態様は、ロール紙に対して画像形成出力を行う画像形成装置の制御方法であって、前記ロール紙を装置内部で搬送して画像形成出力が実行可能な状態に装置を遷移させるロール紙準備動作を操作部に対する操作に応じて開始し、装置への電源供給を遮断するための操作が行われたことを検知し、前記ロール紙準備動作の実行中において所定以上の頻度で装置への電源供給を遮断するための操作が行われたことの検知結果を確認し、前記ロール紙準備動作の実行中において前記電源供給を遮断するための操作が行われたことが検知されている場合に、前記ロール紙準備動作を中断して装置への電源供給を遮断するように制御することを特徴とする。
【００１１】
また、本発明の更に他の態様は、ロール紙に対して画像形成出力を行う画像形成装置の制御プログラムであって、前記ロール紙を装置内部で搬送して画像形成出力が実行可能な状態に装置を遷移させるロール紙準備動作を操作部に対する操作に応じて開始するステップと、装置への電源供給を遮断するための操作が行われたことを検知するステップと、前記ロール紙準備動作の実行中において所定以上の頻度で装置への電源供給を遮断するための操作が行われたことの検知結果を確認するステップと、前記ロール紙準備動作の実行中において前記電源供給を遮断するための操作が行われたことが検知された場合に、前記ロール紙準備動作を中断して装置への電源供給を遮断するように制御するステップとを情報処理装置に実行させることを特徴とする。
【発明の効果】
【００１２】
本発明によれば、ロール紙を用いる画像形成装置において、画像形成出力の実行が可能なようにロール紙を装置内で準備する動作の実行中に電源オフ操作が実行された場合に、実際に装置の電源がオフ状態となるまでの期間を短縮することができる。
【図面の簡単な説明】
【００１３】
【図１】本発明の実施形態に係る画像形成装置の外観構成を示す斜視図である。
【図２】本発明の実施形態に係る画像形成装置の側断面図である。
【図３】本発明の実施形態に係る画像形成装置の制御構成を示すブロック図である。
【図４】本発明の実施形態に係る画像形成装置の電源供給に関する構成を示す図である。
【図５】本発明の実施形態に係る画像形成装置のロール紙準備動作を示すフローチャートである。
【図６】本発明の実施形態に係る画像形成装置のプレスキュー補正動作を示すフローチャートである。
【図７】本発明の実施形態に係る画像形成装置のスキュー補正動作を示すフローチャートである。
【図８】本発明の実施形態に係る画像形成装置のスキュー検知・判定動作を示すフローチャートである。
【図９】本発明の実施形態に係る画像形成装置のキャリッジ位置を示す図である。
【発明を実施するための形態】
【００１４】
以下、図面を参照して、本発明の実施形態を詳細に説明する。本実施形態においては、ロール紙を用いるインクジェットタイプの画像形成装置において、ロール紙を装置内で準備して画像形成出力の実行が可能な状態にするためのロール紙準備動作中に、装置の電源を遮断するための操作が行われた場合の制御を特徴として説明する。
【００１５】
図１は、本実施形態に係る画像形成装置の外観構成を示す斜視図であり、図２は、本実施形態に係る画像形成装置の即断面図である。スプール軸受け台１０１ａ、１０１ｂは、長尺の用紙が巻回されてなるシートロールとしての上段ロール紙４ａから用紙１０をそれぞれ繰り出し可能に支持するシートロール支持部としての機能・構成を有している。
【００１６】
上下方向Ｚに直交する前後方向Ｘにおいて、図１における装置本体１の左側が前面１Ｆ（正面）側であり、右側が後（奥）側である。図１に示す上下方向Ｚ及び前後方向Ｘに直交するとともに図２の紙面を貫通する方向が主走査方向Ｙであり、シート幅方向、即ち用紙幅方向に相当する。
【００１７】
画像形成部３は、インクジェット記録方式で画像形成を行う作像機構である。図２に示すように、本実施形態に係る画像形成装置は、シリアル型インクジェット記録装置である。画像形成部３に対応した装置本体１の内部には、ガイドロッド１８およびガイドレール１９が図示しない側板に掛け渡され、これらのガイドロッド１８およびガイドレール１９にキャリッジ２０が主走査方向Ｙに摺動可能に保持されている。
【００１８】
キャリッジ２０には、ブラック（Ｋ）、イエロー（Ｙ）、マゼンタ（Ｍ）、シアン（Ｃ）の各色のインク滴を吐出する液体吐出ヘッドである図示しない液体記録ヘッドが搭載されている。また、キャリッジ２０には、搬送される用紙を検知するためのセンサが搭載されている。各液体記録ヘッドには、各液体記録ヘッドにインクを供給する図示しないサブタンクが一体的に備えられている。
【００１９】
キャリッジ２０を主走査方向Ｙに移動走査する主走査機構は、主走査方向Ｙの一方側（図において左斜め上方）に配置された駆動モータ２１と、この駆動モータ２１の出力軸に連結され駆動モータ２１によって回転駆動される駆動プーリ２２と、主走査方向Ｙの他方側（図において右斜め下方）に配置された従動プーリ２３と、駆動プーリ２２と従動プーリ２３との間に巻き掛けられたベルト部材２４とを備えている。従動プーリ２３は、図示しないテンションスプリングによって外方、すなわち駆動プーリ２２から離れる方向にテンションが掛けられている。
【００２０】
ベルト部材２４は、キャリッジ２０背面側に設けられたベルト固定部にその一部分が固定保持されていることで、キャリッジ２０を主走査方向Ｙに牽引するようになっている。キャリッジ２０の主走査方向Ｙに沿ってキャリッジ２０の主走査位置を検知するためのエンコーダシート（図示せず）が配置され、キャリッジ２０に設けられたエンコーダセンサ（図示せず）によって、上記エンコーダシートが読み取られる。
【００２１】
このキャリッジ２０における主走査領域のうち、用紙が搬送される領域である記録領域では、上段ロール紙４ａまたは下段ロール紙４ｂから後述するように繰り出され搬送されてきた用紙１０が搬送手段（ローラ対９ａ、９ｂ、レジストローラ３４及びレジスト加圧ローラ３５など）により搬送される。記録領域、即ち画像形成部３に対向する領域において、用紙１０は、キャリッジ２０の移動方向である主走査方向Ｙと直交する副走査方向、即ち、図１の前後方向Ｘのうち、前方向Ｘａに間欠的に搬送される。
【００２２】
また、主走査領域のうち、一方の端部側領域（図において右斜め下方側）には、キャリッジ２０内の各液体記録ヘッドの維持回復を行う維持回復機構２５が配置され、さらに、各液体記録ヘッドのサブタンクに供給する各色のインクを収容したメインカートリッジ２６が装置本体１に対して着脱自在に装着される。
【００２３】
用紙１０の搬送経路において画像形成部３に対向する記録領域を抜けた位置には、画像形成部３で画像が記録された用紙を所定の長さに切断するシート切断手段としてのカッタ２７が配置されている。このカッタ２７は、複数のプーリ間に掛け渡されたワイヤやタイミングベルトに固定されている。また、複数のプーリのうち１つは駆動モータに連結されており、駆動モータによりプーリを介してワイヤやタイミングベルトが主走査方向Ｙに移動することで用紙を所定の長さに切断する。
【００２４】
次に、本実施形態に係る画像形成装置の制御構成について図３を参照して説明する。図３は、本実施形態に係る画像形成装置の制御構成を示すブロック図である。図３に示すように、本実施形態に係る画像形成装置の制御構成は、システム制御部２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、操作部２０４、表示部２０５、記録ヘッド２０６、維持機構２０７、第２スイッチ２０８、主走査位置検知部２０９及びメインスイッチ検知部２１０を含む。
【００２５】
システム制御部２０１は、装置各部を制御して画像形成装置を動作させる装置制御部であり、本実施形態に係る画像形成装置を動作させるためのプログラムに従ってＣＰＵ（Ｃｅｎｔｒａｌ  Ｐｒｏｃｃｅｓｉｎｇ  Ｕｎｉｔ）等の演算装置が演算を行うことにより構成される。尚、システム制御部２０１は、単一のＣＰＵ等によって構成される他、複数のＣＰＵやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の組み合わせでも良い。ＲＯＭ２０２は、不揮発性の記憶媒体であり、上述した画像形成装置を動作させるためのプログラムが格納されている。
【００２６】
ＲＡＭ２０３は、情報の高速な読み書きが可能な揮発性の記憶媒体であり、画像形成装置が動作するうえで必要な各種の情報や、印刷中にメインスイッチがオフされたときに印刷動作をどうするかの設定内容を記憶する。操作部２０４は、各種のハードボタン若しくはタッチパネル等によって構成され、操作者が画像形成装置を操作するためのユーザインタフェースである。
【００２７】
表示部２０５は、画像形成装置の操作方法や動作状態、操作者へのメッセージ等を表示するユーザインタフェースである。記録ヘッド２０６は、用紙に対して実際の画像形成出力を行う。上述したように、本実施形態に係る画像形成装置はインクジェットタイプであり、記録ヘッド２０６はインクを吐出することにより用紙に対して画像を印字出力する。記録ヘッド２０６は、図１、２において説明したキャリッジに搭載されている
【００２８】
維持機構２０７は、記録ヘッド２０６のメンテナンスのためのクリーニングを行う。維持機構２０７は、図１、２において説明した維持回復機構２５に相当する。第２スイッチ２０８は、システム制御部２０１の制御により切り替えを行うリレーで、手動のメインスイッチのオフ操作時に、商用電源からの電流経路の開閉を行う。即ち、第２スイッチ２０８が電源供給切り替え部として機能する。主走査位置検知部２０９は、記録ヘッド２０６の主走査上の位置を検知する。メインスイッチ検知部２１０は、手動で切り替えられるメインスイッチのオンオフ状態を検知する。
【００２９】
尚、図３に示す構成の他、画像形成装置の制御構成としては、画像形成装置に含まれる各種のセンサの検知信号を取得する構成や、画像形成装置各部に含まれる用紙搬送用のローラ、記録ヘッド２０６が搭載されているキャリッジ２０を主走査方向の動かすための主走査モータ等の機械的な構成を制御する構成などが含まれる。
【００３０】
次に、本実施形態に係る画像形成装置の電源供給に関する構成について、図４を参照して説明する。図４に示すメインスイッチ１２０は、操作者が手動で画像形成装置への電力供給の状態を切り替えるためのものである。図４に示すように、メインスイッチ１２０は、アースに接続されたスイッチと商用電源に接続されたスイッチとの２つのスイッチを含む。
【００３１】
この２つのスイッチのうち、図４において下側のスイッチが商用電源からの電力をオンオフするものであり、上側のスイッチがオンオフ状態をシステム制御部２０１へ伝えるためのものである。この上側のスイッチが、図３に示すメインスイッチ検知部２１０に接続されており、メインスイッチ検知部２１０は、入力される電圧がシステムグランドであるかＶｄｄであるかに基づいてメインスイッチ１２０のオンオフ状態を検知する。即ち、メインスイッチ検知部２１０が、電源遮断操作検知部として機能する。メインスイッチ１２０の下側のスイッチは一次側回路、上側のスイッチは二次側回路であり、必要な距離をもって絶縁されている。
【００３２】
図３において説明したように、第２スイッチ２０８はシステム制御部２０１の制御に従ってオンオフ状態を切り替えるリレー回路であり、メインスイッチ検知部２１０によって検知されたメインスイッチ１２０のオンオフ状態に応じて、商用電源からの電流経路の開閉を行うものである。即ち、本実施形態においては、電源供給切り替え部である第２スイッチ２０８を制御して装置への電源供給状態を切り替える電源供給制御機能は、システム制御部２０１によって実現される。電源がオンの状態において操作者がメインスイッチ１２０を操作してから、第２スイッチ２０８が商用電源からの電力供給を遮断するまでの一連の制御をシャットダウンシーケンスと呼ぶ。このシャットダウンシーケンスは、システム制御部２０１によって制御されて実行される。
【００３３】
絶縁トランス１２１は、商用電源から第２スイッチ２０８を介して供給された電力を絶縁状態で変圧して二次側回路へ供給する。整流平滑部１２２は、絶縁トランス１２１によって変圧された交流電力をダイオードブリッジにより直流電力に整流し、コンデンサにより平滑する。ＤＣＤＣコンバータ１２３は、整流平滑部からの電力を使ってインクジェット記録装置各部に必要な電圧Ｖｄｄ、Ｖｃｃ、Ｖａａを作成し、装置各部へ供給する。
【００３４】
このような構成において、本実施形態に係る要旨は、上段ロール紙４ａ、４ｂから繰り出された用紙１０を画像形成装置内部に搬送し、位置合わせなどを行った上でレジストローラ３４及びレジスト加圧ローラ３５によって挟まれた状態にして画像形成出力を実行可能な状態に準備する動作（以降、「ロール紙準備動作」とする）中の電源制御に関する。なお、ロール紙準備動作は、一般的にはロールフォーミング動作等と呼ばれる。以下、本実施形態に係る画像形成装置の動作について説明する。
【００３５】
図５は、本実施形態に係るロール紙準備動作を示すフローチャートである。ユーザが上段ロール紙４ａまたは下段ロール紙４ｂの先端を給紙口１０２ａまたは給紙口１０２ｂに挿入すると、給紙入口センサ４０ａ、４０ｂが挿入された用紙１０を検知する（Ｓ５０１）。給紙入口センサ４０ａ、４０ｂが用紙１０を検知することにより、システム制御部２０１が給紙口にある搬送手段であるローラ対９ａまたは９ｂを制御し、用紙１０を給紙セット位置４１ａまたは４１ｂまで搬送する（Ｓ５０２）。即ち、本実施形態において、ロール紙準備動作を制御するロール紙準備制御機能は、システム制御部２０１によって実現される。
【００３６】
ロール紙の先端を給紙口１０２ａ、１０２ｂに挿入したユーザは、続いて用紙セット指示の操作を操作部２０４に対して行う。この操作には、ロール紙の先端カットを行うか否かの選択及びセットされている紙種が正しいか否かの選択が含まれる。操作部を介して指示操作を受け付けると（Ｓ５０３／ＹＥＳ）、システム制御部２０１は、装置各部を制御して給紙搬送動作を実行する（Ｓ５０４）。
【００３７】
Ｓ５０４において、システム制御部２０１は、主走査モータを駆動してキャリッジ２０を主走査方向に動かし、キャリッジ２０に搭載された用紙検知センサによって用紙の先端を検知可能な位置（以降、「用紙先端検知位置」とする）にキャリッジ２０を移動させる。また、Ｓ５０４において、システム制御部２０１は、搬送経路に設けられているローラを駆動し、用紙の搬送を開始する。
【００３８】
用紙が搬送経路内を搬送されることにより、給紙搬送経路の最後部、即ち、画像形成部３に到達する直前の位置に備えられているレジスト前センサ５０が、用紙先端を検知すると（Ｓ５０５／ＹＥＳ）、システム制御部２０１は、プレスキュー補正動作を実行する（Ｓ５０６）。
【００３９】
Ｓ５０５のプレスキュー補正動作とは、本来のスキュー補正動作に先立って実行される予備のスキュー補正動作である。スキュー補正を実行する際に、スキュー量が大きい状態で用紙を副操作方向に搬送すると、用紙が痛んでしまう恐れがある。そこで、用紙が傷まないように配慮した制御で、ある程度のスキュー補正を行うことにより、スキュー補正時に用紙が痛むことを抑制する。プレスキュー補正動作の詳細については、のちに詳述する。
【００４０】
プレスキュー補正動作が完了すると、システム制御部２０１は、次にスキュー補正動作を実行する（Ｓ５０７）。Ｓ５０７においては、用紙のスキュー補正を行うために、用紙１０が副走査の前方向Ｘａに１［ｍｍ］程度搬送され、巻き戻される。この搬送・巻き戻しの動作回数は設計者が設定することが可能である。1回目のスキュー検知でスキューがあると判断された場合には巻き戻されてから再度搬送されスキュー検知が実行される。
【００４１】
スキュー補正動作により、搬送方向に対して傾いた状態で用紙が搬送されている場合に、その傾きが補正される。スキュー補正動作の後、システム制御部２０１は、スキュー補正が適切に完了しているか否かを確認するためにスキュー検知・判定動作を行う（Ｓ５０８）。Ｓ５０８の処理により、スキュー補正が適切に完了していないと判断された場合には、再度スキュー補正が実行される。尚、設定された回数分スキュー補正を繰り返してもスキュー補正が完了しない場合、システム制御部２０１は、用紙の巻き戻し排紙を行う。
【００４２】
Ｓ５０８の判定の結果、スキューが適切に補正されていると判定された場合、システム制御部２０１は、用紙サイズの検知動作を実行する（Ｓ５０９）。用紙サイズ検知が完了すると、システム制御部２０１は、搬送ローラを駆動して、画像形成部３の直前である待機位置まで用紙を巻き戻し、Ｓ５０３において受け付けた操作の内容を参照して、用紙先端カットの要否を判断する（Ｓ５１０）。尚、用紙の待機位置は、図２に示すセンサ７０によって用紙先端が検知される位置である。
【００４３】
先端カットが指示されていた場合（Ｓ５１０／ＹＥＳ）、システム制御部２０１は装置各部を制御して先端カットを実行する（Ｓ５１１）。Ｓ５１１においてシステム制御部２０１は、搬送ローラを駆動し、待機位置から副走査方向の前方向Ｘａに所定区間用紙を搬送し、カッタ２７が搭載されたワイヤやタイミングベルトを駆動して用紙先端をカットする。その後、システム制御部２０１は、搬送ローラを駆動し、用紙先端を上述した待機位置まで巻き戻す。
【００４４】
先端カットが指示されていない場合（Ｓ５１０／ＮＯ）、若しくは先端カットが完了した場合、システム制御部２０１は、主走査モータを駆動し、キャリッジ２０をホームポジションまで移動させる（Ｓ５１２）。その後、システム制御部２０１は、維持回復機構２５を制御し、キャリッジ２０に搭載された記録ヘッド２０６をキャッピングする（Ｓ５１３）。これにより、ロール紙準備動作が完了する。
【００４５】
このようなロール紙準備動作において、図５に示すフローの各所にメインスイッチ検知部２１０による電源オフ操作の有無の判定処理（以降、「シャットダウン判定処理」とする）が含まれていることが、本実施形態に係る要旨の１つである。本実施形態においては、Ｓ５０６のプレスキュー補正動作、Ｓ５０７のスキュー補正動作及びＳ５０８のスキュー検知・判定動作のシーケンス内に、シャットダウン判定処理が含まれている。
【００４６】
操作者によってメインスイッチ１２０の操作が行われてから所定の期間内に装置の電源遮断を完了するためには、ロール紙準備動作において所定期間毎にシャットダウン判定処理を行う必要がある。本実施形態においては、Ｓ５０６〜Ｓ５０８の夫々の処理においてシャットダウン判定処理を行い、シャットダウン判定がされた場合には、ロール紙準備動作を中断して装置のシャットダウンを行うことにより、そのような課題を解決している。
【００４７】
また、図５に示すフローにおいて、Ｓ５０６〜Ｓ５０８以外の処理では、給紙口１０２ａ、１０２ｂからレジスト前センサ５０までの用紙搬送や、画像形成部３に対向する画像形成領域内での用紙搬送等、用紙搬送が行われている。用紙搬送が行われている最中に電源オフ状態とすると、再度電源がオン状態となった場合に用紙ジャムの原因となる。本実施形態においては、Ｓ５０６〜Ｓ５０８においてシャットダウン判定処理を行うことにより、そのような課題を解決している。
【００４８】
また、ロール紙準備動作が完了する前に装置の電源をオフ状態とする際には、再度電源がオン状態となった後の装置の不具合を回避するため、装置の状態をロール紙準備動作が開始される前の状態に戻してから装置の電源をオフ状態とすることが好ましい。本実施形態に係るＳ５０６〜Ｓ５０８の処理においては、ロール紙準備動作をキャンセルし、そのための動作である用紙の排出動作を実行する可能性があるため、そのような動作に関連付けてシャットダウン動作を行うことにより、装置を制御するためのプログラムの改変を最小限に抑えることが可能となる。これについては後述する。
【００４９】
次に、本実施形態に係るＳ５０６の動作、即ちプレスキュー補正動作について、図６を参照して説明する。図６に示すように、プレスキュー補正動作において、システム制御部２０１は、キャリッジ２０に搭載された用紙検知センサの検知信号に基づき、用紙１０の端部の位置、即ち、主走査方向における用紙の位置を検知し（Ｓ６０１）、検知した用紙端部位置と予め定められた基準値との比較を行う（Ｓ６０２）。
【００５０】
Ｓ６０２の比較の結果、検知位置と基準値との差異が±１０［ｍｍ］を超えている場合（Ｓ６０２／ＮＯ）、機械的な制御では好適なスキュー補正が不可能であると判断し、用紙排出動作を行う（Ｓ６０４）。Ｓ６０４の処理は、用紙の搬送経路に設けられた搬送ローラを逆回転させて用紙を巻き戻し、プレスキュー補正動作及びロール紙準備動作を中断する処理である。
【００５１】
Ｓ６０２の比較の結果、検知位置と基準値との差異が±１０［ｍｍ］以内である場合（Ｓ６０２／ＹＥＳ）、次に、システム制御部２０１は、メインスイッチ検知部２１０がメインスイッチ１２０のオフ操作を検知していないか否か確認する（Ｓ６０３）。その結果、メインスイッチ１２０のオフ操作が検知されていた場合（Ｓ６０３／ＮＯ）、システム制御部２０１は、上述した用紙排出動作を実行する（Ｓ６０４）。
【００５２】
用紙排出動作が完了すると、システム制御部２０１は再度メインスイッチ１２０のオフ操作を確認し（Ｓ６０５）、メインスイッチ１２０のオフ操作がされている場合（Ｓ６０５／ＹＥＳ）、第２スイッチ２０８を制御して装置の電源をオフ状態とする（Ｓ６０６）。他方、メインスイッチ１２０のオフ操作がされていない場合、即ち、検知位置と基準値との差異が±１０［ｍｍ］を超えていたために用紙排出動作が実行された場合（Ｓ６０５／ＮＯ）、そのまま処理を終了する。
【００５３】
このように、プレスキュー補正動作におけるシャットダウン判定処理は、ロール紙準備動作を継続するか否かを用紙の端部の位置に基づいて検知し、継続しない場合はロール紙を排紙してロール紙準備動作を中断するＳ６０２、Ｓ６０３の処理に関連して実行される。従って、用紙のジャムを防ぐために、装置の電源をオフ状態にする際には、ロール紙準備動作が開始される前の状態に装置を戻してから行うという要求の達成に際して、当初からプログラムに組み込まれている用紙の排紙動作のための制御を利用することが可能であり、制御用のプログラムを大幅に改変することなく目的を達成することが可能である。
【００５４】
Ｓ６０３において、メインスイッチ１２０のオフ操作が検知されていない場合（Ｓ６０３／ＹＥＳ）、システム制御部２０１は、通常のプレスキュー補正動作を継続する。通常のプレスキュー補正動作において、システム制御部２０１は、キャリッジ２０に備えられたセンサの検知信号に基づき、用紙のサイズを検知する（Ｓ６０７）。用紙のサイズの検知すると、システム制御部２０１は、検知した用紙のサイズと既定サイズとの比較を行い（Ｓ６０８）、既定のサイズを超えている場合には（Ｓ６０８／ＮＯ）、そのままプレスキュー補正動作を終了し、図５のＳ５０７のスキュー補正動作へ移行する。
【００５５】
用紙が既定のサイズ以内であった場合（Ｓ６０８／ＹＥＳ）、次にシステム制御部２０１は、用紙端部位置の検知位置と基準値との差異を再度判定する（Ｓ６０９）。Ｓ６０９の判定の結果、用紙端部位置の検知位置と基準値との差異が±６［ｍｍ］以上である場合には（Ｓ６０９／ＹＥＳ）、プレスキュー補正を行うためのステータスＮに対して“１”を設定する（Ｓ６１０）。他方、用紙端部位置の検知位置と基準値との差異が±６［ｍｍ］未満である場合には（Ｓ６１０／ＮＯ）、プレスキュー補正を行うためのステータスＮに対して“０”を設定する（Ｓ６１１）。
【００５６】
プレスキュー補正動作のステータスＮを設定すると、システム制御部２０１は、実際のプレスキュー補正動作を開始し、まずは用紙の巻き戻し処理を行う（Ｓ６１２）。Ｓ６１２において、システム制御部２０１は、装置各部のローラ等を制御し、用紙をレジスト前センサ５０の位置から給紙セット位置４１ａまたは４１ｂまで巻き戻す。
【００５７】
巻き戻し処理が完了すると、次にシステム制御部２０１は、用紙の順送り動作を行う（Ｓ６１３）。Ｓ６１３において、システム制御部２０１は、装置各部のローラ等を制御し、用紙を給紙セット位置４１ａまたは４１ｂからレジスト前センサ５０の位置まで搬送する。
【００５８】
用紙の順送り動作が完了すると、システム制御部２０１は、Ｓ６１０またはＳ６１１において設定されたＮの値を判定する（Ｓ６１４）。Ｓ６１４の判定の結果、Ｎが“０”であれば（Ｓ６１４／ＹＥＳ）、システム制御部２０１はプレスキュー補正動作の完了を判断し、所定期間の用紙搬送を実行して（Ｓ６１５）、図５のＳ５０７のスキュー補正動作へ移行する。他方、Ｓ６１４の判定の結果、Ｎが“１”であれば（Ｓ６１４／ＮＯ）、システム制御部２０１は、Ｎの値を１マイナスした後、Ｓ６１２からの処理を繰り返す。
【００５９】
このような処理により、本実施形態に係るプレスキュー補正動作が完了する。尚、図６の説明においては、プレスキュー補正動作に含まれる処理として、Ｓ６０６のシャットダウン処理を説明したが、これに限られない。即ち、プレスキュー補正動作の実行中はシャットダウン動作の実行が禁止されるような制御構成において、図６のＳ６０６にてシャットダウン動作を許可するような態様も可能である。
【００６０】
次に、図５のＳ５０７におけるスキュー補正動作の詳細につい図７を参照して説明する。図７に示すように、システム制御部２０１は、スキュー補正動作を開始すると、そのスキュー補正動作が１回のロール紙準備動作内において１回目であるか２回目以降であるかを判定する（Ｓ７０１）。Ｓ７０１の判定の結果、１回目であった場合（Ｓ７０１／ＹＥＳ）、システム制御部２０１は、主走査モータを制御してキャリッジ２０を往路移動させ、キャリッジ２０に備えられた用紙検知センサを用いて用紙の右端を測定する（Ｓ７０２）。このようにして検知された用紙右端位置を以降“Ｓ１”とする。システム制御部２０１は、用紙右端が検知された位置においてキャリッジ２０を停止させる。
【００６１】
用紙右端を検知したシステム制御部２０１は、その検知位置と基準位置との差を求め、その差が±１０［ｍｍ］を超えている場合（Ｓ７０３／ＮＯ）、用紙排出動作を行う（Ｓ７０４）。Ｓ７０４の処理は、用紙の搬送経路に設けられた搬送ローラを逆回転させて用紙を巻き戻し、ロール紙準備動作を中断する処理である。
【００６２】
他方、用紙右端の検知位置と基準位置との差が±１０［ｍｍ］以内である場合（Ｓ７０３／ＹＥＳ）、次に、システム制御部２０１は、メインスイッチ検知部２１０がメインスイッチ１２０のオフ操作を検知していないか否か確認する（Ｓ７０５）。その結果、メインスイッチ１２０のオフ操作が検知されていた場合（Ｓ７０５／ＮＯ）、システム制御部２０１は、上述した用紙排出動作を実行する（Ｓ７０４）。
【００６３】
用紙排出動作が完了すると、システム制御部２０１は再度メインスイッチ１２０のオフ操作を確認し（Ｓ７０６）、メインスイッチ１２０のオフ操作がされている場合（Ｓ７０６／ＹＥＳ）、第２スイッチ２０８を制御して装置の電源をオフ状態とする（Ｓ７０７）。他方、メインスイッチ１２０のオフ操作がされていない場合（Ｓ７０６／ＮＯ）、即ち、検知位置と基準値との差異が±１０［ｍｍ］を超えていた（Ｓ７０３／ＮＯ）ために用紙排出動作が実行された（Ｓ７０４）場合、そのまま処理を終了する。
【００６４】
このように、スキュー補正動作におけるシャットダウン判定処理は、ロール紙準備動作を継続するか否かを用紙の端部の位置に基づいて検知し、継続しない場合はロール紙を排紙してロール紙準備動作を中断するＳ７０３、Ｓ７０４の処理に関連して実行される。従って、用紙のジャムを防ぐために、装置の電源をオフ状態にする際には、ロール紙準備動作が開始される前の状態に装置を戻してから行うという要求の達成に際して、当初からプログラムに組み込まれている用紙の排紙動作のための制御を利用することが可能であり、制御用のプログラムを大幅に改変することなく目的を達成することが可能である。
【００６５】
Ｓ７０５において、メインスイッチ１２０のオフ操作が検知されていない場合（Ｓ７０５／ＹＥＳ）、システム制御部２０１は、通常のスキュー補正動作を継続する。通常のスキュー補正動作において、システム制御部２０１は、まずキャリッジ２０を主走査方向の左側の空突出位置に移動させる（Ｓ７０８）。そして、用紙を副走査前方向Ｘａに搬送する（Ｓ７０９）。尚、Ｓ７０１の判断において、２回目以降のスキュー補正動作であると判定された場合、このＳ７０９から処理が開始される。
【００６６】
Ｓ７０９の処理においては、何回目のスキュー補正動作であるかによって用紙を搬送する搬送量が異なる。１回目のスキュー補正動作である場合、システム制御部２０１は、予め設定された搬送量Ｌ［ｍｍ］だけ、用紙を搬送する。他方、２回目以降のスキュー補正動作の場合、システム制御部２０１は、上記ＬからＭを差し引いたＬ−Ｍ［ｍｍ］だけ用紙を搬送する。ここで、上記Ｍは、図５のＳ５０８におけるスキュー検知・判定動作において用いられる用紙の搬送量である。これについては後述する。
【００６７】
Ｓ７０９の用紙搬送処理が完了すると、次にシステム制御部２０１は、装置各部のローラを駆動して用紙を副走査後方向に搬送することにより巻き戻す（Ｓ７１０）。Ｓ７１０において、システム制御部２０１は、スキュー補正動作の回数とは無関係に用紙を−Ｌ［ｍｍ］搬送する。Ｓ７１０の動作を完了すると、システム制御部２０１は、図５のＳ５０８のスキュー検知・判定動作に移行する。
【００６８】
このような処理により、本実施形態に係るスキュー補正動作が完了する。尚、図７の説明においては、スキュー補正動作に含まれる処理として、Ｓ７０７のシャットダウン処理を説明したが、これに限られない。即ち、上述したプレスキュー補正動作の場合と同様に、スキュー補正動作の実行中はシャットダウン動作の実行が禁止されるような制御構成において、図７のＳ７０７にてシャットダウン動作を許可するような態様も可能である。
【００６９】
次に、図５のＳ５０８におけるスキュー検知・判定動作の詳細について図８を参照して説明する。図８に示すように、システム制御部２０１は、スキュー検知・判定動作を開始すると、そのスキュー検知・判定動作が１回のロール紙準備動作内において１回目であるか２回目以降であるかを判定する（Ｓ８０１）。Ｓ８０１の判定の結果、１回目であった場合（Ｓ８０１／ＹＥＳ）、システム制御部２０１は、スキュー補正を繰り返す回数を判断するためのカウント値ｉに“０”を設定する（Ｓ８０２）。Ｓ８０１、Ｓ８０２において、キャリッジ２０は、図９（ａ）に示すようにホームポジションＨＰに位置している。
【００７０】
Ｓ８０２の処理の後、若しくはＳ８０１の判定の結果２回目以降であった場合（Ｓ８０１／ＮＯ）、次にシステム制御部２０１は、主走査モータを駆動してキャリッジ２０を往路移動し、キャリッジ２０に備えられた用紙検知センサを用いて用紙の右端位置を測定する（Ｓ８０３）。これにより、キャリッジ２０は、図９（ｂ）に示す用紙右端検知後位置に移動する。Ｓ８０３における用紙右端位置をＳ１とする。用紙右端が検知されたら、システム制御部２０１は主走査モータを制御してキャリッジ２０の移動を停止させ、再度キャリッジ２０を、図９（ｃ）に示すようにスキュー検知前の位置に移動させる（Ｓ８０４）。
【００７１】
次に、システム制御部２０１は、搬送ローラを駆動して用紙を副操作前方向にＭ［ｍｍ］だけ搬送し（Ｓ８０５）、再度キャリッジを往路移動させて用紙の右端位置を測定する（Ｓ８０６）。これにより、キャリッジ２０は、図９（ｄ）に示す用紙右端検知後位置に移動する。この時の用紙右端位置をＳ２とする。用紙右端が検知されたら、システム制御部２０１は主走査モータを制御してキャリッジ２０の移動を停止させる。
【００７２】
Ｓ８０３〜Ｓ８０６の処理により、用紙をＭ［ｍｍ］搬送した場合の用紙の右端位置の変化、即ち用紙のスキューを算出することが可能となる。システム制御部２０１は、以下の式（１）を用いて用紙のスキュー量［％］を算出する（Ｓ８０７）。
2014121869.tif 000003
【００７３】
スキュー量を算出すると、システム制御部２０１は、スキュー量が第１の閾値Ａ以内であるか否かを判定する（Ｓ８０７）。Ｓ８０７の判定の結果、スキュー量がＡを超えていた場合（Ｓ８０７／ＮＯ）、システム制御部２０１は用紙排出動作を行う（Ｓ８０９）。Ｓ８０９の用紙排出動作は、図６、図７の用紙排出動作と同様の処理である。
【００７４】
他方、スキュー量が閾値Ａ以内である場合（Ｓ８０７／ＹＥＳ）、システム制御部２０１は、メインスイッチ検知部２１０がメインスイッチ１２０のオフ操作を検知していないか否か確認する（Ｓ８１０）。その結果、メインスイッチ１２０のオフ操作が検知されていた場合（Ｓ８１０／ＮＯ）、システム制御部２０１は、上述した用紙排出動作を実行する（Ｓ８１０）。
【００７５】
用紙排出動作が完了すると、システム制御部２０１は再度メインスイッチ１２０のオフ操作を確認し（Ｓ８１１）、メインスイッチ１２０のオフ操作がされている場合（Ｓ８１１／ＹＥＳ）、第２スイッチ２０８を制御して装置の電源をオフ状態とする（Ｓ８１２）。他方、メインスイッチ１２０のオフ操作がされていない場合（Ｓ８１１／ＮＯ）、そのまま処理を終了する。
【００７６】
このように、スキュー検知・判定動作におけるシャットダウン判定処理は、図６、図７の場合と同様に、ロール紙を排紙してロール紙準備動作を中断するＳ８０８、Ｓ８０９の処理に関連して実行される。従って、用紙のジャムを防ぐために、装置の電源をオフ状態にする際には、ロール紙準備動作が開始される前の状態に装置を戻してから行うという要求の達成に際して、当初からプログラムに組み込まれている用紙の排紙動作のための制御を利用することが可能であり、制御用のプログラムを大幅に改変することなく目的を達成することが可能である。
【００７７】
Ｓ８１０において、メインスイッチ１２０のオフ操作が検知されていない場合（Ｓ８１０／ＹＥＳ）、システム制御部２０１は、通常のスキュー検知・判定動作を継続する。システム制御部２０１は、次に、スキュー量がＡよりも小さい第２の閾値であるＢ以内であるか否かを判定する（Ｓ８１３）。Ｓ８１３の判定の結果、スキュー量がＢ以内であった場合（Ｓ８１３／ＹＥＳ）、次に、システム制御部８１４は、Ｓ８０３において検知した用紙右端位置Ｓ１と基準値の差異が±５［ｍｍ］以内であるか否か判定する（Ｓ８１４）。
【００７８】
Ｓ８１４の判定の結果、Ｓ１と基準値との差異が±５［ｍｍ］以内であれば（Ｓ８１４／ＹＥＳ）、システム制御部２０１は、好適にスキューが補正されていると判断し、処理を終了する。他方、Ｓ１と基準値との差異が±５［ｍｍ］を超えている場合（Ｓ８１４／ＮＯ）、システム制御部２０１は、用紙排出動作を実行する（Ｓ８０９）。
【００７９】
また、Ｓ８０３の判断の結果、スキュー量がＢを超えている場合（Ｓ８１３／ＮＯ）、システム制御部２０１は、スキュー補正動作の繰り返し回数のステータスｉがｎを超えていないか否か判断し（Ｓ８１５）、ｎを超えている場合（Ｓ８１５／ＮＯ）、用紙排出動作を実行する（Ｓ８０９）。他方、ｉがｎを超えていない場合（Ｓ８１５／ＹＥＳ）、システム制御部２０１は、ステータスｉを１プラスし（Ｓ８１６）、図５のＳ５０７のスキュー補正動作を再実行するように予約して（Ｓ８１７）、スキュー検知・判定動作を終了する。この際、システム制御部２０１は、主走査モータを駆動し、キャリッジ２０を図９（ｅ）に示すから吐出位置に移動させる。これにより、図５のＳ５０７のスキュー補正動作が再度実行される。
【００８０】
このような処理により、本実施形態に係るスキュー検知・判定動作が完了する。尚、図８のスキュー検知・判定動作においても、図６、図７の場合と同様に、スキュー検知・判定動作の実行中はシャットダウン動作の実行が禁止されるような制御構成とし、図８のＳ８１２にてシャットダウン動作を許可するような態様も可能である。
【００８１】
次に、図５に示すロール紙準備動作における夫々のタイミングにおいて、装置の電源オフのためのメインスイッチ１２０の操作がされた場合の電源オフのタイミングについて説明する。図５に示す動作において最初にシャットダウン判定されるタイミングは、Ｓ５０６の動作、即ち、図６において説明したプレスキュー補正動作における、Ｓ６０４のタイミングである。従って、Ｓ５０１からＳ５０５及びプレスキュー補正動作における右端検知のタイミングまで、即ちＳ６０１、Ｓ６０２の間においては、メインスイッチ１２０の操作がされた場合に最初の判定タイミングが適用される。
【００８２】
Ｓ５０１〜Ｓ５０５の間には、Ｓ５０３の用紙セット指示の操作も含まれるため、メインスイッチ１２０の操作がされるとすれば、実際にはＳ５０４以降と考えられる。Ｓ５０４、Ｓ５０５の処理及びそれに続いて実行される図６のプレスキュー補正動作におけるＳ６０１からＳ６０４までの処理に要する時間は数秒から数十秒程度であり、ユーザの操作を受けてから実際に電源オフ状態となるまでの経過時間を所定の時間以内に抑えることが可能である。
【００８３】
次にシャットダウン判定されるタイミングは、Ｓ５０７のスキュー補正動作、即ち、図７に示す動作におけるＳ７０５のタイミングである。Ｓ５０６のプレスキュー補正動作、即ち、図６に示す動作におけるＳ６０７以降及び図７に示す動作におけるＳ７０１〜Ｓ７０３のタイミングにおいて、メインスイッチ１２０の操作がされた場合、Ｓ７０５の判定タイミングが適用される。この間に要する時間も数十秒程度であるため、ユーザの操作を受けてから実際に電源オフ状態となるまでの経過時間を所定の時間以内に抑えることが可能である。
【００８４】
次にシャットダウン判定されるタイミングは、Ｓ５０８のスキュー検知・判定動作、即ち、図８に示す動作におけるＳ８１０のタイミングである。Ｓ５０７のスキュー補正動作、即ち、図７に示す動作におけるＳ７０８以降及び図８に示す動作におけるＳ８０１〜Ｓ８０８のタイミングにおいて、メインスイッチ１２０の操作がされた場合、Ｓ８１０の判定タイミングが適用される。この間に要する時間も数十秒程度であるため、ユーザの操作を受けてから実際に電源オフ状態となるまでの経過時間を所定の時間以内に抑えることが可能である。
【００８５】
その後、Ｓ５０８のスキュー検知・判定動作における図８のＳ８１３以降にメインスイッチ１２０の操作がされた場合、ロール紙準備動作が完了し、ロール紙準備動作のためにシャットダウン判定が制限された状態が終了してからシャットダウンが実行される。この間に要する時間も数十秒程度であるため、ユーザの操作を受けてから実際に電源オフ状態となるまでの経過時間を所定の時間以内に抑えることが可能である。
【００８６】
このように、本実施形態に係る画像形成装置においては、ロール紙準備動作における所定の期間毎にシャットダウン判定処理を行うため、ロール紙準備動作の実行中に電源オフのためのメインスイッチ１２０の操作が行われた場合であっても、操作者はロール紙準備動作がすべて完了するまで実際に電源がオフ状態となるのを待つ必要がなく、所定の期間内に電源オフ状態とすることが可能となる。
【００８７】
尚、ロール紙準備動作は、上述したように、画像形成装置を使用する意図を持った操作者が用紙先端を給紙口に挿入することによって開始される。そのため、ロール紙準備動作の実行中に電源オフの操作を受け付ける可能性は低い。特に、Ｓ５０３の処理は、上述したようにロール紙準備動作に際して操作者の指示を受け付ける処理であるため、実際にはＳ５０４の処理以降、早いタイミングで電源オフの操作を受け付ける可能性は低い。しかしながら、製品が市場に出た後は、どのような使い方をされるかの予測は困難であり、様々な可能性に対して対応可能な制御が求められる。即ち、本実施形態に係る制御によれば、設計上考慮されていない操作により、装置が不測の動作を行う可能性を低減することができる。
【００８８】
尚、上記実施形態においては、画像形成機構としてインクジェット方式を用いる場合を例として説明した。しかしながら、本実施形態に係る要旨はロール紙準備動作における電源制御であり、画像形成機構の種類は特に限定されない。即ち、画像形成対象の記録媒体としてロール紙を用いるものであれば、電子写真方式やサーマル方式など、様々な画像形成機構の画像形成装置に適用可能であり、同様の効果を得ることが可能である。
【符号の説明】
【００８９】
１  装置本体
３  画像形成部
４ａ  上段ロール紙
４ｂ  下段ロール紙
９ａ、９ｂ  ローラ対
１０  用紙
１８  ガイドロッド
１９  ガイドレール
２０  キャリッジ
２１  駆動モータ
２２  駆動プーリ
２３  従動プーリ
２４  ベルト部材
２５  維持回復機構
２６  メインカートリッジ
２７  カッタ
３４  レジストローラ
３５  レジスト加圧ローラ
４０ａ、４０ｂ  給紙入口センサ
４１ａ、４１ｂ  給紙セット位置
５０  レジスト前センサ
７０  センサ
１０１ａ  スプール軸受け台
１０２ａ、１０２ｂ  給紙口
１２０  メインスイッチ
１２１  絶縁トランス
１２２  整流平滑部
１２３  ＤＣＤＣコンバータ
２０１  システム制御部
２０２  ＲＯＭ
２０３  ＲＡＭ
２０４  操作部
２０５  表示部
２０６  記録ヘッド
２０７  維持機構
２０８  スイッチ
２０９  走査位置検知部
２０９  主走査位置検知部
２１０  メインスイッチ検知部
【先行技術文献】
【特許文献】
【００９０】
【特許文献１】特開平６−１６１６１３号公報
【図１】
2014121869.tif 000004
【図２】
2014121869.tif 000005
【図３】
2014121869.tif 000006
【図４】
2014121869.tif 000007
【図５】
2014121869.tif 000008
【図６】
2014121869.tif 000009
【図７】
2014121869.tif 000010
【図８】
2014121869.tif 000011
【図９】
2014121869.tif 000012